(57)【要約】【課題】本発明は緩やかな勾配の斜面で且つ擁壁用ブロックの裏面と斜面との隙間に人が入れない狭い場合の施工現場で使用して枠組する際、ボルトやナット等による締結作業が省略できると共に単に擁壁用ブロックを並べるだけの簡単な作業で枠組が可能となる擁壁用ブロックを提供することを目的とする。【解決手段】多数の貫通穴1aを有するコンクリート製のパネル１の裏面1bに、平行に離した少なくとも２本の脚部２を突出させた構造と成す。また脚部２に、その中央に凹溝を形成し、その脚部２の側面に凹凸部或いは溝を形成すると良い。【選択図】図１
2009057734.tif 000002
【特許請求の範囲】
【請求項１】
多数の貫通穴（1a）を有するコンクリート製のパネル（１）の裏面（1b）に、平行に離した少なくとも２本の脚部（２）を突出させたことを特徴とする擁壁用ブロック。
【請求項２】
前記パネル（１）と前記脚部（２）が、ポーラスコンクリートで一体成形された請求項１記載の擁壁用ブロック。
【請求項３】
前記脚部（２）が、その中央に凹溝（2a）を形成した請求項１又は２記載の擁壁用ブロック。
【請求項４】
前記脚部（２）が、その側面に凹凸部（2b）或いは溝（2c）を形成した請求項１、２又は３記載の擁壁用ブロック。
【発明の詳細な説明】
【技術分野】
【０００１】
本発明は護岸工事や法面補強などの擁壁を構築する際に使用するものであり、特には緩やかな勾配の斜面に使用する擁壁用ブロックに関する。
【背景技術】
【０００２】
従来、護岸工事や法面補強などの擁壁を構築する際、特に擁壁用ブロックを使用して枠組する際に、擁壁用ブロックの裏面と斜面との隙間に人が入れない狭い場合の施工現場で擁壁用ブロック（残存型枠）を使用して枠組する時は、法面から浮かせてアングルなどを格子状に骨組し、その後、擁壁用ブロックの四隅又はその他に数箇所をボルトやナット等によって締結作業が順次行われていた。しかしながら、前記擁壁用ブロックの四隅又はその他に数箇所をボルトやナット等によって締結する場合、予め格子状に骨組された各アングルなどに多数の取付穴を穿設しなければならず、手間が掛ると共に穴ズレが発生し易いのが現状である。又、前記擁壁用ブロックをアングルにボルトやナット等を用いて締結する作業は、擁壁用ブロックが大きくなると手を差込んでも届かぬ箇所が生じて、作業性が悪く、且つ多数の締結部品の手配やその管理に手間が掛る等の問題点があった。
【０００３】
このため本発明者によって、擁壁用ブロックを使用して枠組する場合、ボルトやナット等による締結作業を省略し、単に掛けるだけの簡単な作業で確実に実施出来る枠組方法が特願２００６―０９０１１３で提案されたところである。
【特許文献１】特願２００６―０９０１１３号
【発明の開示】
【発明が解決しようとする課題】
【０００４】
本発明は緩やかな勾配の斜面で且つ擁壁用ブロックの裏面と斜面との隙間に人が入れない狭い場合の施工現場で使用されて枠組する際、ボルトやナット等による締結作業が省略できると共に単に擁壁用ブロックを並べるだけの簡単な作業で枠組が可能となる擁壁用ブロックを提供することを目的とする。
【０００５】
本発明の他の目的は、表面に植物が生育可能となると共に雨水が表面から脚部を経て地面に浸透可能となる擁壁用ブロックを提供するにある。
【課題を解決するための手段】
【０００６】
本発明は、上記現状に鑑み成されたものであり、つまり、多数の貫通穴を有するコンクリート製のパネルの裏面に、平行に離した少なくとも２本の脚部を突出させた構造と成す。またパネルと脚部をポーラスコンクリートで一体成形しても良く、前記脚部に、その中央に凹溝を形成し、その脚部の側面に凹凸部或いは溝を形成すると良い。
【発明の効果】
【０００７】
請求項１のように多数の貫通穴（1a）を有するコンクリート製のパネル（１）の裏面（1b）に、平行に離した少なくとも２本の脚部（２）を突出させることにより、緩やかな勾配の斜面で且つ擁壁用ブロックの裏面と斜面との隙間に人が入れない狭い場合の施工現場で使用して枠組する際、ボルトやナット等による締結作業が省略できると共に単に本発明品を配置して並べるだけの簡単な作業で枠組が完了し、且つ、後の撤去作業が不要となるので、余堀幅や掘削土が大幅に削減でき、尚且つ、その枠組作業が大幅に短縮できるものとなる。更に多数の貫通穴（1a）により、打設コンクリートの充填確認が容易に確認できるため、空洞の発生が防止でき、打設コンクリートと本発明品は一体化し、構造的に安定した強度が得られる。しかも貫通穴（1a）を利用してパネル（１）の表面に、例えば、本石や擬石を取付けると、水際の変化や景観護岸が容易に構築でき、また間伐材を取付けると、覆土護岸（隠し護岸）が容易に構築でき、更に階段ブロックを取付けると、階段部分が容易に構築できるものとなる。
【０００８】
請求項２のようにパネル（１）と脚部（２）をポーラスコンクリートで一体成形することにより、パネル（１）の表面に植物が生育可能となり、且つ、雨水が表面から脚部（２）を経て斜面である地面に浸透可能なるものとなり、環境的に好ましいものとなる。
【０００９】
請求項３のように脚部（２）底面の中央に凹溝（2a）を形成することにより、打設されたコンクリートが凹溝（2a）に入り、脚部（２）が打設コンクリートと密着され、パネル（１）が剥がれにくいものとなる。
【００１０】
請求項４に示すように脚部（２）の側面に、凹凸部（2b）或いは溝（2c）を形成することにより、請求項３と同様に脚部（２）が打設コンクリートとより一層密着され、パネル（１）が剥がれにくいものとなる。
【発明を実施するための最良の形態】
【００１１】
図１、図２は本発明の実施形態を示す図であり、これについて説明する。（１）は一定の厚さと面積でコンクリートを硬化させたプレート状のパネルであり、該パネル（１）には多数の貫通穴（1a）が穿設されているが、必ずしも前記貫通穴（1a）は全面に穿設する必要はない。また前記パネル（１）としては、例えば厚さ３０〜４０mm、横幅（上下辺）９００〜１２００mm、縦幅（側辺）６００mm前後のものを使用するのが好ましいが、これに限定されるものではない。このパネル（１）部分の一例としては、本発明者が提案した特願平９−１１４３１１号或いは特願平１０−７１４０８号と同形のものを用いると良いが、この一例はあくまで代表的なものを例示したものであり、この一例に限定されるものではない。更に前記コンクリートとしては、一般のポルトランドセメント或いはポーラスコンクリートを用い、それに適量の砂等の骨材を混入させ硬化したもの、或いは単にレジンコンクリートや特殊シリカセメントだけで硬化したもの等を多く使用するが、硬化したコンクリートに低粘度のビニール系モノマーを含浸、重合させるか或いは、コンクリートに金属短繊維を混入し硬化させ、その中に低粘度のビニール系ポリマーを含浸、重合して耐久性及び機械的強度を著しく向上させたものを用いても良い。
【００１２】
（２）はパネル（１）の裏面（1b）に突出させた２本の脚部であり、該脚部（２）は平行に離してパネル（１）と一体化されている。また前記脚部（２）の底面中央には、図３（ａ）や図３（ｃ）に示すような凹溝（2a）を形成すると良く、且つ脚部（２）の側面には、図３（ｂ）に示すような凹凸部（2b）或いは図３（ｃ）に示すような溝（2c）を形成させると良い。又、脚部（２）はパネル（１）と同じコンクリートで成形する際に同時に形成すると良いが、脚部（２）とパネル（１）を別々に成形した後、それを一体化させたものとしても良い。尚、前記凹凸部（2b）或いは溝（2c）は、脚部（２）の一方の側面にだけ形成させたものとしても良い。また前記脚部（２）の本数を３本にして、中央と両側に一体配置したものとしても良い。又、前記脚部（２）の高さとしては、パネル（１）の表面から２００mm前後の長さとするのが好ましいが、この長さは施工条件などによって決定されるものであり、前記寸法に限定されるものではない。
【００１３】
次に本発明品を使用して擁壁の枠組作業が行われる場合について説明する。先ず始めに工場などに於いて形成した本発明品を施工現場に搬入しておく。次に本発明品を、予め形成された基礎部の上部に沿って水平方向に並べて行く。この時、パネル（１）同士を順次配列する際は、接触面（側面）に隙間がないように当接させて並べると共に脚部（２）が垂直方向に向くように並べて行く。所定幅並べた後、その上方へ上記同様にして順次水平方向に並べて２段目の配列を終了する。このようにして３段目以降を順次配列して斜面の表面の所定幅全体をパネル（１）で被い尽くせば枠組作業が完了するのである。この場合、パネル（１）を斜面の表面に順次配列するだけの簡単な作業で済むため、誰にでも簡単に枠組作業が行えるのである。又、従来の如くボルトやナット等を用いて締結する作業が省略でき、且つ多数の締結部品の手配やその管理も不要になるのである。尚、必要に応じて連結部材（３）を図４に示すように使用し、パネル（１）同士を連結させたものとしても良いが、枠組作業完了後、コンクリートを打設しても、本発明品の重量及びパネル（１）同士が当接された接触圧、更にはパネル（１）の裏面（1b）と斜面との隙間が１６０mm前後の狭いものであるため、コンクリートの押圧力はあまり大きくならない等の理由によって、コンクリートによるパネル（１）のズレが殆ど心配ないものとなると共にそのコンクリートが不要な箇所から押出されることもなく、通常にコンクリート打設することが出来るものとなるのである。
【００１４】
枠組作業完了後、コンクリートを打設すると、配列された本発明の擁壁用ブロックの上部と下部は開口しているので、底版コンクリート及び頂版コンクリートが一体化されて打設できるものとなる。更に本発明に於いては、パネル（１）に多数の貫通穴（1a）があるため、打設コンクリートが充填される際、貫通穴（1a）からトロが出て充填具合が視認出来ると共に空気が貫通穴（1a）から排出されて空洞の発生を防止出来るものとなる。
【図面の簡単な説明】
【００１５】
【図１】本発明の実施形態を示す底面図である。
【図２】本発明の実施形態を示す正面図である。
【図３】本実施形態の脚部を示す説明図である。
【図４】本発明の使用状態を示す説明図である。
【符号の説明】
【００１６】
１  パネル
1a  貫通穴
1b  裏面
２  脚部
2a  凹溝
2b  凹凸部
2c  溝
【図１】
2009057734.tif 000003
【図２】
2009057734.tif 000004
【図３】
2009057734.tif 000005
【図４】
2009057734.tif 000006